(57)【要約】【課題】種々の商品の包装として使用することができ、しかも展示中のみならず内容物を取り出した後でも昼間は地球の地図模型として、また夜間は天体模型として世界や星空の知識を得ることができるようにした地球の地図模型兼天体模型組立シートの提供を目的とする。【解決手段】この発明の地球の地図模型兼天体模型組立シートは、６面を組み立てて箱とする印刷シートであって、その表面には昼間において地図が可視状態に表記されている地球の地図模型面が印刷され、また前記地球の地図模型面と同一面上には、夜間に星空が現出する夜光塗料で表記された天体模型面が印刷され、箱状に組み立てられて地球の地図模型兼天体模型として利用することができるようにしたことを特徴とするものである。【選択図】図１
2011028025.tif 000002
【特許請求の範囲】
【請求項１】
６面を組み立てて箱とする印刷シートであって、その表面には昼間において地図が可視状態に表記されている地球の地図模型面が印刷され、また前記地球の地図模型面と同一面上には、夜間に星空が現出する夜光塗料で表記された天体模型面が印刷され、箱状に組み立てられて地球の地図模型兼天体模型として利用することができるようにしたことを特徴とする地球の地図模型兼天体模型組立シート。
【請求項２】
６面を組み立てて箱とする印刷シートであって、その表面には昼間において地図が可視状態に表記されている地球の地図模型面が印刷され、また前記地球の地図模型面と同一面上には、夜間に地球の地図模型における大陸の輪郭が現出する夜光塗料で表記された大陸線が印刷され、箱状に組み立てられて地球の地図模型として利用することができるようにしたことを特徴とする地球の地図模型兼天体模型組立シート。
【請求項３】
前記地球の地図模型面が、北極および南極を天地とし、側面を太平洋および各大陸で構成するとともに、各側面に組み立てた後に赤道となる赤道線を連続するように印刷したことを特徴とする請求項１または２記載の地球の地図模型兼天体模型組立シート。
【請求項４】
前記地球の地図模型面が、各大陸における遺跡の場所、観光地に符号が印刷され、これと別途用意した遺跡、観光地の見所を表示した印刷物と照合できるようにしたことを特徴とする請求項１ないし３のいずれかに記載の地球の地図模型兼天体模型組立シート。
【請求項５】
前記天体模型面が、空の北極および南極を天地とし、側面を各星座で構成するとともに、各側面に組み立てた後に月の満ち欠けを示す月の運行表示が連続するように印刷したことを特徴とする請求項１ないし４のいずれかに記載の地球の地図模型兼天体模型組立シート。
【発明の詳細な説明】
【技術分野】
【０００１】
この発明は、トイレットペーパーやティッシュペーパその他種々の商品の包装として使用することができ、しかも展示中のみならず内容物を取り出した後でも昼間は地球の地図模型として、また夜間は天体模型として世界や星空の知識を得ることができるようにした地球の地図模型兼天体模型組立シートに関する。
【背景技術】
【０００２】
地球の地図模型や天体模型そのものは一般に市販され、地理や星座、地球や夜空の運行の知識を得るために利用されていることはいうまでもない。
また、内部に照明を設置して夜間でも地理や星座、地球や夜空の運行の知識を得ることができるように工夫もされている。
【０００３】
例えば、実開平６−１５０７４号公報（特許文献１参照）には、透明のプラスチック等のシートに星または星座を蛍光シールを貼るあるいは蛍光インクにより印刷するなどして星空または星座を表したもので、複数枚に分割して構成するか１枚構成とするものであって、子供部屋の天井等に貼って夜電灯を消すことにより星空または星座が現れるようにした貼り付け用星空シートが提案されている。
同様に、登録実用新案第３０５３６２０公報（特許文献２参照）には、多数の星座を表してなる天体図を複数枚の壁紙または天井紙に夜光塗料を使用して分割表示してなり、これらの壁紙または天井紙を共に壁面または天井面に貼り付けることにより一つの天体図が完成するようになした、星座学習のための夜光塗料により天体を表示した壁紙または天井紙が提案されている。
【特許文献１】実開平６−１５０７４号公報
【特許文献２】登録実用新案第３０５３６２０公報
【発明の開示】
【発明が解決しようとする課題】
【０００４】
前記従来の貼り付け用星空シートや天体を表示した壁紙または天井紙は、透明のプラスチック等のシートに星または星座を蛍光シールを貼るあるいは蛍光インクにより印刷したり、また天体図を複数枚の壁紙または天井紙に夜光塗料を使用して分割表示し、これを天井等に貼付して電灯を消すことにより星空または星座が現れるようにしたものである。したがって、昼間においては何ら使用されるものではなかった。
【０００５】
もちろんこの発明のように、トイレットペーパーやティッシュペーパその他種々の商品の包装として使用することができ、しかも展示中のみならず内容物を取り出した後でも昼間は地球の地図模型として、また夜間は天体模型として世界や星空の知識を得ることができるようにしたものは存在しなかった。
【０００６】
この発明は、種々の商品の包装として使用することができ、しかも展示中のみならず内容物を取り出した後でも昼間は地球の地図模型として、また夜間は天体模型として世界や星空の知識を得ることができるようにした地球の地図模型兼天体模型組立シートの提供を目的とする。
【課題を解決するための手段】
【０００７】
上記の課題を解決するため、この発明の地球の地図模型兼天体模型組立シートは、６面を組み立てて箱とする印刷シートであって、その表面には昼間において地図が可視状態に表記されている地球の地図模型面が印刷され、また前記地球の地図模型面と同一面上には、夜間に星空が現出する夜光塗料で表記された天体模型面が印刷され、箱状に組み立てられて地球の地図模型兼天体模型として利用することができるようにしたことを特徴とするものである。
【０００８】
またこの発明の地球の地図模型兼天体模型組立シートは、６面を組み立てて箱とする印刷シートであって、その表面には昼間において地図が可視状態に表記されている地球の地図模型面が印刷され、また前記地球の地図模型面と同一面上には、夜間に地球の地図模型における大陸の輪郭が現出する夜光塗料で表記された大陸線が印刷され、箱状に組み立てられて地球の地図模型として利用することができるようにしたことを特徴とするものである。
【０００９】
この発明の地球の地図模型兼天体模型組立シートは、前記地球の地図模型面が、北極および南極を天地とし、側面を太平洋および各大陸で構成するとともに、各側面に組み立てた後に赤道となる赤道線を連続するように印刷したことをも特徴とするものである。
【００１０】
この発明の地球の地図模型兼天体模型組立シートは、前記地球の地図模型面が、各大陸における遺跡の場所、観光地に符号が印刷され、これと別途用意した遺跡、観光地の見所を表示した印刷物と照合できるようにしたことをも特徴とするものである。
【００１１】
この発明の地球の地図模型兼天体模型組立シートは、前記天体模型面が、空の北極および南極を天地とし、側面を各星座で構成するとともに、各側面に組み立てた後に月の満ち欠けを示す月の運行表示が連続するように印刷したことをも特徴とするものである。
【発明の効果】
【００１２】
以上の説明から明らかなように、この発明の地球の地図模型兼天体模型組立シートでは、トイレットペーパーやティッシュペーパその他種々の商品の包装として使用することができ、しかも展示中のみならず内容物を取り出した後でも昼間は地球の地図模型として、また夜間は天体模型として世界や星空の知識を得ることができるようになった。
また、地球の地図模型面や天体模型面として、古地図や神話上の星座、最新の世界地図や天球図を表示するだけでなく、立体的な凹凸を施した機能性の高い地球の地図模型兼天体模型組立シートとすることができる。
【００１３】
さらに、前記地球の地図模型面に、各大陸における遺跡の場所、観光地に符号が印刷し、これを別途用意した遺跡、観光地の見所を表示した印刷物と照合できるようにしたので、より地理に対する知識が深まり、単なる商品の包装としてだけでなく、教育玩具としても充分に活用できる地球の地図模型兼天体模型組立シートを提供可能である。
【図面の簡単な説明】
【００１４】
【図１】（ａ）はこの発明の地球の地図模型兼天体模型組立シートの実施の形態を示す現代版地球の地図模型兼天体模型の斜視図、また（ｂ）はこの発明の地球の地図模型兼天体模型組立シートの実施の形態を示す古代版地球の地図模型の斜視図である。
【図２】現代地図版地球の地図模型兼天体模型組立シートの展開図である。
【図３】大陸線を表示した展開図である。
【図４】古地図版地球の地図模型組立シートの展開図である。
【図５】天体模型における組立シートの夜光塗料の印刷状態を示す展開図である。
【図６】地球の地図模型兼天体模型組立シートに組み込まれる天体模型の全体図を示すものである。
【図７】前記天体模型に組み込まれた夜光塗料の印刷状態を示すものである。
【図８】前記天体模型における夜光塗料の印刷状態を示すものである。
【図９】地球の地図模型および天体模型を収納する包装ケースの展開図である。
【図１０】地球の地図模型および天体模型を収納する包装ケース組み立てた状態の斜視図である。
【図１１】包装ケースの一対の持ち手部分を引き上げた状態を示す斜視図である。
【図１２】包装ケースの一対の持ち手部分を連結した状態を示す斜視図である。
【図１３】古地図版地球の地図模型兼天体模型組立シートに組み込まれる遺跡、観光地等の見所を地図上に表示した印刷物である。
【図１４】古地図版地球の地図模型兼天体模型組立シートに組み込まれる遺跡、観光地等の見所を分解地図上に表示した印刷物である。
【発明を実施するための最良の形態】
【００１５】
以下、この発明の地球の地図模型兼天体模型組立シートの実施の形態を図面に基いて詳細に説明する。
この発明の１実施例に係る現代版地球の地図模型兼天体模型組立シートは、図１（ａ）の組立状態の斜視図および図２の展開図に示すように、６面を組み立てて箱とする印刷シート１１からなるものであり、その表面には昼間において地図が可視状態に表記されている地球の地図模型面１２が印刷されている。
すなわち、天の位置には北極を表示した起点となる面１２−１が、その４辺にはそれぞれ太平洋、アジア大陸、アフリカ大陸、南北アメリカ大陸を表示した面１２−２，１２−３，１２−４，１２−５が配置され、またアフリカ大陸を表示した面１２−４には地の位置となるよう南極を表示した面１２−６が延設されていて、各面１２−１〜１２−６の間には折り目１３が形成されている。
【００１６】
１４，１５はのり代で、のり代１４は長さ方向に伸びる太平洋表示面１２−２、アフリカ大陸表示面１２−４、南極表示面１２−６の両側に形成され、６面を折畳んでほぼ正方形の箱を組み立てることができる。のり代１５は南極表示面１２−６の先端に形成され、太平洋表示面１２−２の先端にのり付けされる。
また、側面を構成する太平洋表示面１２−２、アジア大陸表示面１２−３、アフリカ大陸表示面１２−４、南北アメリカ大陸表示面１２−５には、各側面を組み立てた後に連続するよう印刷された赤道１６が表示されている。
【００１７】
次に、図３に示す展開図は、前記６面を組み立てて箱とする印刷シート１１における地球の地図模型面１２と同一面上に、夜間に地球の地図模型における大陸の輪郭が現出する夜光塗料で表記された大陸線１８を印刷した例を示すもので、箱状に組み立てられて地球の地図模型として利用することができるようにしたものである。
【００１８】
この発明の他の実施例に係る古地図版地球の地図模型兼天体模型組立シートも、図１（ｂ）の組立状態の斜視図および図４の展開図に示すように、６面を組み立てて箱とする印刷シート１１からなるものであり、その表面には昼間において地図が可視状態に表記されている地球の地図模型面１２が印刷されている。
前記地球の地図模型面の各面１２−１〜１２−６の所定の位置には、各大陸等における遺跡の場所、観光地に符号１７が印刷されている。
そして、図１３および図１４に示すような、別途用意した遺跡、観光地の見所を表示した印刷物２１の記述箇所２２と前記符号１７とが照合できるようになっている。
【００１９】
この発明の地球の地図模型兼天体模型組立シートには、図５に示すように、前記地球の地図模型面１２と同一面上に、夜間に星座３２等を表現した星空が現出する天体模型面３１が印刷してあり、そしてこの印刷を夜光塗料で表記しているのである。
すなわち、前記天体模型面３１は、空の北極および南極を天地とし、側面を各星座で構成してある。前記空の北極表示面３２−１が、その４辺にはそれぞれ東西南北の星座を表示した面３２−２，３２−３，３２−４，３２−５が配置され、また南の星座を表示した面３２−４には地の位置となるよう空の南極表示面３２−６が延設されていて、各面３２−１〜３２−６の間にも折り目３３が形成されている。
また、前記地球の地図模型面１２の各側面３２−２〜３２−５には、箱型に組み立てた後に月３４の満ち欠けを示す月の運行表示３５が連続するように印刷されている。３６は星座３２間に表示した星を示すものである。
【００２０】
このような天体模型の全体図を図６に示す。図７は各星座を夜光塗料を印刷して表記し、夜間に星空が現出するようにした天体模型面を示し、図８は該夜光塗料の印刷部分のみを示すものである。
【００２１】
以上の現代版地球の地図模型兼天体模型および古地図版地球の地図模型兼天体模型は、各１個を対にして図９〜図１２に示すパッケージに収納して使用することが望ましい。
図９に示すように、パッケージ４１は上面４１−１から前後の側面４１−２，４１−３および底面４１−４と、左右の側面４１−５，４１−６が延設され、前後の側面４１−２，４１−３の両側、左右の側面４１−５，４１−６および後部の側面４１−３のそれぞれ先端にはのり代４２が形成されている。４３は上面４１−１のほぼ中央に所定の間隔で配置した左右一対の持ち手、４４は持ち手４３の中央に形成した指穴である。
このようなパッケージ４１は図１０のようにボックス状に組み付けられる。
その上で図１１のように左右一対の持ち手４３を上面４１−１から引き起こし、図１２のように、左右一対の持ち手４３の先端に形成した切込み４５を互いにはめ込むことにより、持ち手４３が連結されるのである。
【００２２】
したがって、予め指穴４４部分を抜いておき、一体化した左右一対の持ち手４３を連結した上、指穴４４に指を差し込んでパッケージ４１を持ち運ぶことができる。
その際、左右一対の持ち手４３の位置を、地球の地図模型兼天体模型のそれぞれの上面に形成したティッシュの取出し口（図示せず）の位置と合わせる事により、左右一対の持ち手４３を上面４１−１から引き起こせば、地球の地図模型兼天体模型のティッシュの取出し口をも簡単に開口することができ、無理なくティッシュを取り出すことができるようになる。
図において４６は持ち手４３の折曲げ部、４７はその両端に形成した折曲げやすくするための膨らませたＲ部、４８は指穴４４に設けた鍵穴デザイン部である。
【００２３】
図１３は、古地図版地球の地図模型兼天体模型組立シートに組み込まれる遺跡、観光地等の見所を地図上に表示した印刷物を示すものであり、また図１４は古地図版地球の地図模型兼天体模型組立シートに組み込まれる遺跡、観光地等の見所を分解地図上に表示した印刷物である。
この図１３および図１４に示す遺跡、観光地の見所を表示した印刷物２１の記述箇所２２は、前記地球の地図模型面の各面１２−１〜１２−６の所定位置に記載した各大陸等における遺跡の場所、観光地の符号１７と照合することができる。
なお、これらの印刷物２１は、封筒等に入れた上で前記パッケージ４１内に収納しておくことが望ましい。
【００２４】
なお、この発明は上記実施形態に限定されるものではなく、この発明の範囲内で上記実施形態に多くの修正及び変更を加え得ることは勿論である。
【産業上の利用可能性】
【００２５】
以上の説明から明らかなように、この発明の地球の地図模型兼天体模型組立シートは、トイレットペーパーやティッシュペーパその他種々の商品の包装としてのみならず、昼間は地球の地図模型として、また夜間は天体模型として世界や星空の知識を得ることができる教材としても使用することができる。
もちろん、この発明の地球の地図模型兼天体模型組立シートの製造、販売地等に応じた地図や星座等を印刷すれば、さまざまなバリエーションの地球の地図模型兼天体模型組立シートとすることが可能である。
【符号の説明】
【００２６】
１１  印刷シート
１２  地球の地図模型面
１２−１  北極表示面
１２−２  太平洋表示面
１２−３  アジア大陸表示面
１２−４  アフリカ大陸表示面
１２−５  南北アメリカ大陸表示面
１２−６  南極表示面
１３  折り目
１４，１５  のり代
１６  赤道
１７  符号
１８  大陸線
２１  印刷物
２２  記述箇所
３１  天体模型面
３２  星座
３２−１  空の北極表示面
３２−２，３２−３，３２−４，３２−５  東西南北の星座を表示した面
３２−６  空の南極表示面
３３  折り目
３４  月
３５  月の運行表示
３６  星
４１  パッケージ
４１−１  上面
４１−２，４１−３  前後の側面
４１−４  底面
４１−５，４１−６  左右の側面
４２  のり代
４３  持ち手
４４  指穴
４５  切込み
４６  折曲げ部
４７  Ｒ部
４８  鍵穴デザイン部
【図１】
2011028025.tif 000003
【図２】
2011028025.tif 000004
【図３】
2011028025.tif 000005
【図４】
2011028025.tif 000006
【図５】
2011028025.tif 000007
【図６】
2011028025.tif 000008
【図７】
2011028025.tif 000009
【図８】
2011028025.tif 000010
【図９】
2011028025.tif 000011
【図１０】
2011028025.tif 000012
【図１１】
2011028025.tif 000013
【図１２】
2011028025.tif 000014
【図１３】
2011028025.tif 000015
【図１４】
2011028025.tif 000016